(57)【要約】      （修正有）【課題】クリップを用いて組み立てられる構成部品を有する眼鏡フレームを提供する。【解決手段】眼鏡フレームにおいて、２つのレンズを内部に保持するためのフロントを備え、フロントはその各端部において後方に延びるフロント端片を有し、各フロント端片は上部と下部を有し、上部と下部の中の一方は、上部と下部の中の他方に設けた対応する寸法及び形状の幾何学的な開口に嵌め込んだり取り外したりするための幾何学的な突起を有し、その嵌め込み及び取り外しは横方向の移動のみによって行われる。また、眼鏡フレームのフロント端片と結合するためのクリップも開示される。【選択図】図１
0003143221.tif 000002
【実用新案登録請求の範囲】
【請求項１】
（ａ）２つのレンズを内部に保持するためのフロントを備え、（ｂ）前記フロントは、その各端部において後方に延びる上部と下部を有するフロント端片を有し、（ｃ）前記上部は上部切り欠きを有し、前記下部は下部切り欠きを有し、（ｄ）前記端片を合わせて解放可能に保持するために前記フロント端片に取り付けるためのクリップを備え、該クリップは、前記上部と前記下部を合わせて保持するために前記上部切り欠き及び前記下部切り欠きに嵌め込むための端部を含むことを特徴とする眼鏡フレーム。
【請求項２】
前記上部切り欠きは前記上部の上縁に設けられ、前記下部切り欠きは前記上部の下縁に設けられ、前記クリップの前記端部は、前記上部切り欠き及び前記下部切り欠きに嵌め込むための２つの相隔たる舌部で終わる二股に分岐した先端を含むことを特徴とする請求項１に記載の眼鏡フレーム。
【請求項３】
前記上部及び前記下部の中の一方は、前記上部及び前記下部の中の他方に設けた対応する寸法及び形状の幾何学的な開口に嵌め込んだり取り外したりするための幾何学的な突起を有し、前記嵌め込み及び取り外しは横方向の移動のみで行われ、前記クリップは前記幾何学的な突起を前記幾何学的な開口内に保持する機能を有することを特徴とする請求項１に記載の眼鏡フレーム。
【請求項４】
前記クリップは、概ねＳ字状であり、（ａ）下アームと、（ｂ）当該下アームが動作的に関連している中間アームと、（ｃ）当該中間アームが動作的に関連している上アームと、（ｄ）前記眼鏡フレームのテンプルの移動を抑制するために前記上アームから後方且つ内方に延びるリップ部を備えることを特徴とする請求項１乃至３のいずれか一項に記載の眼鏡フレーム。
【請求項５】
前記上部はその内方に延びる上ブラケットを有し、前記下部はその内方に延びる下ブラケットを有することを特徴とする請求項１乃至４のいずれか一項に記載の眼鏡フレーム。
【請求項６】
前記フロント端片に形成された開口をさらに備えることを特徴とする請求項１乃至５のいずれか一項に記載の眼鏡フレーム。
【請求項７】
前記上部切り欠きは前記下部切り欠きと合わさって開口を形成し、該開口は前記幾何学的な突起と前記幾何学的な開口の両方の前方にあり、前記上ブラケット及び前記下ブラケットは前記開口と前記幾何学的な開口及び前記幾何学的な突起との中間にあり、前記クリップは、前記フロント端片の前記開口に嵌合できるように前記下アームから内方且つ前方に延びる舌部を備えていることを特徴とする請求項２に付加されたときの請求項５に記載の眼鏡フレーム。
【請求項８】
前記端部と前記中間アームとの間には狭いギャップが形成され、当該狭いギャップは前記フロント端片の厚みより狭いことを特徴とする請求項４に記載の眼鏡フレーム。
【請求項９】
前記クリップが圧縮されているとき、前記リップ部は前記中間アームと接触して閉じたループを形成し、前記クリップはバネクリップであることを特徴とする請求項４に記載の眼鏡フレーム。
【請求項１０】
前記テンプルは、（ａ）テンプル端部と、（ｂ）該テンプル端部から後方に延びるスロットと、（ｃ）前記テンプル端部の上方に延びる上ピンと、（ｄ）前記テンプル端部の下方に延びる下ピンとを備え、（ｅ）前記スロットは、前記上ピンと前記下ピンを前記上ブラケットと前記下ブラケットに設けたピンホールに嵌合することができるように、指圧によって圧縮され得ることを特徴とする請求項５に記載の眼鏡フレーム。
【請求項１１】
前記テンプルの内側にオフセットされたテンプル端部のオフセット部分をさらに含み、前記スロットは当該テンプル端部のオフセット部分を越えて後方に延び、前記スロットは前記テンプル端部から少なくとも前記テンプル端部のオフセット部分の全長に渡って高さが次第に小さくなることを特徴とする請求項１０に記載の眼鏡フレーム。
【請求項１２】
前記クリップは前記テンプルと一体であることを特徴とする請求項１０又は請求項１１に記載の眼鏡フレーム。
【請求項１３】
前記スロットは、前記クリップの前記上アーム内まで延びていることを特徴とする請求項１０に付加されたときの請求項１２に記載の眼鏡フレーム。
【請求項１４】
前記上ブラケットは下方に延びる上裾部を有し、前記下ブラケットは上方に延びる下裾部を有することを特徴とする請求項５乃至１３のいずれか一項に記載の眼鏡フレーム。
【請求項１５】
眼鏡フレームのフロント端片と結合するための概ねＳ字状のクリップであって、（ａ）下アームと、（ｂ）当該下アームが動作的に関連している中間アームと、（ｃ）当該中間アームが動作的に関連している上アームとを備え、（ｄ）前記クリップが前記フロント端片に形成された少なくとも一つの切り欠きに嵌合することができるように、端部が前記下アームから内方且つ前方に延びており、（ｅ）前記眼鏡フレームのテンプルの移動を抑制するために、リップ部が前記上アームから後方且つ内方に延びていることを特徴とするクリップ。
【請求項１６】
前記端部と前記中間アームとの間には狭いギャップが形成され、当該狭いギャップは前記フロント端片の厚みより狭く、前記クリップが圧縮されているとき、前記リップ部は前記中間アームと接触して閉じたループを形成することを特徴とする請求項１５に記載のクリップ。
【請求項１７】
前記端部は前記中間アームから離れた部分で二股に分岐しており、２つのＬ字状の相隔たる舌部で終わっていることを特徴とする請求項１５又は請求項１６に記載のクリップ。
【請求項１８】
前記クリップはバネクリップであることを特徴とする請求項１５乃至１７のいずれか一項に記載のクリップ。
【請求項１９】
前記テンプルは前記クリップと一体であることを特徴とする請求項１５乃至１８のいずれか一項に記載のクリップ。
【請求項２０】
前記クリップの前記上アームから前記テンプル内までスロットが延びていることを特徴とする請求項１９に記載のクリップ。
【請求項２１】
眼鏡フレームのフロント端片と結合するためのテンプルであって、（ａ）テンプル端部と、（ｂ）該テンプル端部から後方に延びるスロットと、（ｃ）前記テンプル端部の上方に延びる上ピンと、（ｄ）前記テンプル端部の下方に延びる下ピンとを備え、（ｅ）前記スロットは、前記上ピンと前記下ピンを前記フロント端片のピンホールに嵌合できるようにするために、指圧によって圧縮され得ることを特徴とするテンプル。
【請求項２２】
前記テンプルの内側にオフセットされたテンプル端部のオフセット部分をさらに含み、前記スロットは当該前方のオフセット部分を越えて後方に延び、前記スロットは前記テンプル端部から次第に細くなることを特徴とする請求項２１に記載のテンプル。
【請求項２３】
一体クリップをさらに備えることを特徴とする請求項２１に記載のテンプル。
【請求項２４】
前記クリップは、概ねＳ字状であり、（ａ）下アームと、（ｂ）当該下アームが動作的に関連している中間アームと、（ｃ）当該中間アームが動作的に関連している上アームとを備え、（ｄ）前記クリップが前記フロント端片に形成された少なくとも一つの切り欠きに嵌合することができるように、端部が前記下アームから内方且つ前方に延びており、（ｅ）前記眼鏡フレームのテンプルの移動を抑制するために、リップ部が前記上アームから後方且つ内方に延びていることを特徴とする請求項２３に記載のテンプル。
【請求項２５】
前記端部と前記中間アームとの間には狭いギャップが形成され、当該狭いギャップは前記フロント端片の厚みより狭いことを特徴とする請求項２４に記載のテンプル。
【請求項２６】
前記クリップが圧縮されているとき、前記リップ部は前記中間アームと接触して閉じたループを形成することを特徴とする請求項２４又は請求項２５に記載のテンプル。
【請求項２７】
前記クリップはバネクリップであることを特徴とする請求項２３乃至２６のいずれか一項に記載のテンプル。
【請求項２８】
前記スロットは前記クリップの前記上アームから前記テンプル内まで延びていることを特徴とする請求項２４乃至２７のいずれか一項に記載のテンプル。
【請求項２９】
細長いスロットが形成されていて先端が割れている後部をさらに備え、該後部はテンプル先端部品の長手方向の溝に嵌合するように適合されていることを特徴とする請求項２１乃至２８のいずれか一項に記載のテンプル。
【請求項３０】
前記長手方向の溝は前記割れた先端のための凹部で終わっていることを特徴とする請求項２９に記載のテンプル。
【請求項３１】
眼鏡フレームのリムにレンズを差し込むための方法であって、（ａ）前記リムを開くことと、（ｂ）前記リムに前記レンズを差し込むことと、（ｃ）前記リムを閉じることと、（ｄ）前記リムのフロント端片の上部を該フロント端片の下部と隣り合って位置合わせされるように移動することと、（ｅ）指圧を利用して、クリップの２つの相隔たる舌部を前記上部及び前記下部に形成された相隔たる切り欠きに挿入することと、前記フロント端片を合わせて保持するために、指圧を利用して前記クリップを前記フロント端片の向こう側に押し込んで嵌めることを備えたことを特徴とする方法。
【請求項３２】
前記クリップは請求項１５乃至２０のいずれか一項に記載のものであることを特徴とする請求項３１に記載の方法。
【請求項３３】
前記テンプルは請求項２１乃至３０のいずれか一項に記載のものであることを特徴とする請求項３１に記載の方法。
【考案の詳細な説明】
【技術分野】
【０００１】
本発明は眼鏡フレームに関するものであり、特に、限定的ではないが、クリップを用いて組み立てられる構成部品を有する眼鏡フレームに言及する。
【背景技術】
【０００２】
ネジや半田付けを利用せずに組み立てられる眼鏡フレームは、フロントと２つのテンプルを有するように構成され、全てがプレス加工された金属で形成され、特殊な道具を要する複雑な配置で互いに取り外し可能に固定されてきた。これは眼鏡技師にとっては不便なものであり、特殊な道具を要することなくレンズを眼鏡フレームに取り付け及び取り外すことができれば、眼鏡技師にとってずっと扱い易くなるであろう。
【考案の開示】
【０００３】
第１の好ましい態様によると、２つのレンズを内部に保持するためのフロントを備え、フロントは、その各端部において後方に延びる上部と下部を有するフロント端片を有し、上部は上部切り欠きを有し、下部は下部切り欠きを有し、端片を合わせて解放可能に保持するためにフロント端片に取り付けるためのクリップを備え、クリップは、上部と下部を合わせて保持するために上部切り欠き及び下部切り欠きに嵌め込むための端部を含むことを特徴とする眼鏡フレームが提供される。
【０００４】
上部切り欠きは上部の上縁に設けられ、下部切り欠きは上部の下縁に設けられていてもよい。クリップの端部は、上部切り欠き及び下部切り欠きに嵌め込むための２つの相隔たる舌部で終わる二股に分岐した先端を含んでいてもよい。
【０００５】
代替的又は付加的に、上部及び下部の中の一方は、上部及び下部の中の他方に設けた対応する寸法及び形状の幾何学的な開口に嵌め込んだり取り外したりするための幾何学的な突起を有し、嵌め込み及び取り外しは横方向の移動のみで行われ、クリップは幾何学的な突起を幾何学的な開口内に保持する機能を有するものであってもよい。
【０００６】
クリップは、概ねＳ字状であり、（ａ）下アームと、（ｂ）下アームが動作的に関連している中間アームと、（ｃ）中間アームが動作的に関連している上アームと、（ｄ）眼鏡フレームのテンプルの移動を抑制するために上アームから後方且つ内方に延びるリップ部を備えていてもよい。
【０００７】
上部はその内方に延びる上ブラケットを有し、下部はその内方に延びる下ブラケットを有していてもよい。
【０００８】
眼鏡フレームは、フロント端片に形成された開口をさらに備えるものであってもよい。
【０００９】
上部切り欠きは下部切り欠きと合わさって開口を形成し、該開口は幾何学的な突起と幾何学的な開口の両方の前方にあり、上ブラケット及び下ブラケットは該開口と幾何学的な開口及び幾何学的な突起との中間にあり、クリップは、フロント端片の該開口に嵌合できるように下アームから内方且つ前方に延びる舌部を備えていることが好ましい。
【００１０】
端部と中間アームとの間には狭いギャップが形成され、当該狭いギャップはフロント端片の厚みより狭いものであってもよい。クリップが圧縮されているとき、リップ部は中間アームと接触して閉じたループを形成し、クリップはバネクリップであることが好ましい。
【００１１】
テンプルは、（ａ）テンプル端部と、（ｂ）テンプル端部から後方に延びるスロットと、（ｃ）テンプル端部の上方に延びる上ピンと、（ｄ）テンプル端部の下方に延びる下ピンとを備え、（ｅ）スロットは、上ピンと下ピンを上ブラケットと下ブラケットに設けたピンホールに嵌合することができるように、指圧によって圧縮され得るものであってもよい。
【００１２】
眼鏡フレームはテンプルの内側にオフセットされたテンプル端部のオフセット部分をさらに含み、スロットはテンプル端部のオフセット部分を越えて後方に延び、スロットはテンプル端部から少なくともテンプル端部のオフセット部分の全長に渡って高さが次第に小さくなるものであってもよい。
【００１３】
クリップはテンプルと一体であってもよい。スロットは、クリップの上アーム内まで延びていてもよい。
【００１４】
上ブラケットは下方に延びる上裾部を有し、下ブラケットは上方に延びる下裾部を有するものであってもよい。
【００１５】
第２の態様においては、眼鏡フレームのフロント端片と結合するための概ねＳ字状のクリップであって、（ａ）下アームと、（ｂ）下アームが動作的に関連している中間アームと、（ｃ）中間アームが動作的に関連している上アームとを備え、（ｄ）クリップがフロント端片に形成された少なくとも一つの切り欠きに嵌合することができるように、端部が下アームから内方且つ前方に延びており、（ｅ）眼鏡フレームのテンプルの移動を抑制するために、リップ部が上アームから後方且つ内方に延びていることを特徴とするクリップが提供される。
【００１６】
端部と中間アームとの間には狭いギャップが形成され、当該狭いギャップはフロント端片の厚みより狭いものであってもよい。テンプルが閉じた状態にあって圧力がかかっているとき、リップ部は中間アームと接触して閉じたループを形成することができる。クリップはバネクリップであってもよい。テンプルはクリップと一体であってもよい。クリップの上アームからテンプル内までスロットが延びていてもよい。
【００１７】
端部は中間アームから離れた部分で二股に分岐し、２つのＬ字状の相隔たる舌部で終わっていてもよい。
【００１８】
第３の態様においては、眼鏡フレームのフロント端片と結合するためのテンプルであって、（ａ）テンプル端部と、（ｂ）テンプル端部から後方に延びるスロットと、（ｃ）テンプル端部の上方に延びる上ピンと、（ｄ）テンプル端部の下方に延びる下ピンとを備え、（ｅ）スロットは、上ピンと下ピンをフロント端片のピンホールに嵌合できるようにするために、指圧によって圧縮され得ることを特徴とするテンプルが提供される。
【００１９】
テンプルは、テンプルの内側にオフセットされたテンプル端部のオフセット部分をさらに含んでいてもよい。スロットは、当該前方のオフセット部分を越えて後方に延び、テンプル端部から高さが次第に小さくなるものであってもよい。スロットは、少なくともテンプル端部のオフセット部分の全長に渡って延びるものであってもよい。クリップはテンプルと一体であってもよい。スロットはクリップの上アームまで延びていてもよい。上ブラケットは下方に延びる上裾部を有し、下ブラケットは上方に延びる下裾部を有するものであってもよい。テンプルは一体クリップをさらに備えていてもよい。
【００２０】
クリップは、概ねＳ字状であり、（ａ）下アームと、（ｂ）下アームが動作的に関連している中間アームと、中間アームが動作的に関連している上アームとを備え、（ｃ）クリップがフロント端片に形成された少なくとも一つの切り欠きに嵌合することができるように、端部が下アームから内方且つ前方に延びており、（ｄ）眼鏡フレームのテンプルの移動を抑制するために、リップ部が上アームから後方且つ内方に延びていてもよい。
【００２１】
端部と中間アームとの間には狭いギャップが形成され、当該狭いギャップはフロント端片の厚みより狭いものであってもよい。クリップが圧縮されているとき、リップ部は中間アームと接触して閉じたループを形成することができる。クリップはバネクリップであってもよい。スロットはクリップの上アームからテンプル内まで延びていてもよい。
【００２２】
テンプルは、細長いスロットが形成されていて先端が割れている後部をさらに備え、該後部はテンプル先端部品の長手方向の溝に嵌合するように適合されていてもよい。長手方向の溝は割れた先端のための凹部で終わっていてもよい。
【００２３】
最後の態様においては、眼鏡フレームのリムにレンズを差し込むための方法であって、（ａ）リムを開くことと、（ｂ）リムにレンズを差し込むことと、（ｃ）リムを閉じることと、（ｄ）リムのフロント端片の上部を該フロント端片の下部と隣り合って位置合わせされるように移動することと、（ｅ）指圧を利用して、クリップの２つの相隔たる舌部を上部及び下部に形成された相隔たる切り欠きに挿入することと、フロント端片を合わせて保持するために、指圧を利用してクリップをフロント端片の向こう側に押し込んで嵌めることを備えたことを特徴とする方法が提供される。
【００２４】
固定器具はクリップであってもよい。クリップは上述されたようなものであってもよい。
【００２５】
本発明が容易に理解され、実施されるようにするため、以下、添付の説明図を参照し、本発明の好ましい実施形態を非限定的な例示のみを目的として説明する。
【考案を実施するための最良の形態】
【００２６】
本説明においては、同様の構成要素には同様の参照番号が付されている。
【００２７】
図１は眼鏡フレームを示しており、この眼鏡フレームは全体として番号１０で指定され、右テンプル１２と、左テンプル１４と、フロント１６と、レンズ１８と、鼻パッド２４と、フレーム１０を取り外し可能に固定するためにフロント端片２２に配置されたクリップ２０とを備えている。
【００２８】
鼻パッド２４は周知の方法でアーム３０に取り付けられている。アーム３０はフロント１６と一体に形成されるのが好ましい。
【００２９】
また、フロント１６はブリッジ２６とリム２８とを含んでいる。リム２８は図示されているような全体的なものであっても、部分的なもの（トップ又はボトム）であってもよく、あるいは、フロント１６は縁なしであってもよい。縁なしの場合、ブリッジ２６、アーム３０、及びフロント端片２２は、周知の方法で確実且つ取り外し可能にレンズ１８に取り付けられる。
【００３０】
リム２８に対してレンズ１８を差し込んだり取り外したりできるように、リム２８は開閉可能である必要があり、特殊な道具を用いなくても開閉できることが好ましい。さらには、手及び／又は指の圧力だけで開閉を行えることが好ましい。
【００３１】
これは図２及び図３に示されている。
【００３２】
フロント端片２２は各々、上端片３２及び下端片３４として形成、製造され、上端片３２及び下端片３４は、リム２８を開くため又は閉じるために、選択的に移動させることができる。これは、上端片３２が幾何学的な開口３６を有し、下端片３４が開口３６に取り外し可能に収容され得る相応の形状及び寸法の幾何学的な突起３８を有することによる。開口３６及び突起３８の幾何学形状は、両者の相対的な移動が横方向にのみ可能であり、端片３２，３４の平面においては不可能になるような形状とする。
【００３３】
このようにすれば、突起３８を開口３６に隣接するように配置して上端片３２及び下端片３４の一方又は両方を横方向に移動させると、突起３８が開口３６を塞ぐ。
【００３４】
開口３６及び突起３８の幾何学形状は、例えばＴ形（図示されているようなもの）、Ｆ形、Ｙ形、逆Ｌ形、Ｚ形、Ｏ形等の適切な形状とされる。
【００３５】
開口３６には、従って突起３８には、上部４０と下部４２とがある。端片２２の平面における相対的な移動を防止するために、上部４０は下側の接続部４２よりも幅を広くする必要がある。
【００３６】
上端片３２及び下端片３４は各々位置合わせされた切り欠き４４を有し、端片３２，３４を組み立てたときに切り欠き４４が組み合わさって開口４６を形成するようになっている。開口４６は図示されるように長方形であることが好ましい。切り欠き４４は、開口３６及び突起３８の前方に隣り合って配置されている。
【００３７】
代替例として、下端片３４が開口３６を有し、上端片３２が突起３８を有していてもよい。
【００３８】
上端片３２の上縁及び下端片３４の下縁から内方にそれぞれ上ブラケット４５及び４７が延びている。ブラケット４５，４７は、開口３６と切り欠き４４との間、及び突起３８と切り欠き４４との間にそれぞれ位置している。各ブラケット４４，４６はピンホール４８を有している。
【００３９】
組立品を保持するために必要なクリップ２０は図４及び図５に示されている。各クリップ２０は概ねＳ字状であり、一端に舌部５０を有し、他端に上向きのリップ部５２を有している。舌部５０は前方且つ内方に延び、リップ部５２は後方且つ内方に延びている。図５から明らかなように、クリップ２０が圧縮力を受けているとき、上向きリップ部５２はクリップ２０の残りの部分に接触し、閉じたループ５４を形成する。舌部５０は、クリップ２０の残り部分との間に狭いギャップ５６を形成する。狭ギャップ５６は、フロント端片２２の周りに確実に取り付けられるように、フロント端片２２の厚みより狭いことが好ましい。クリップ２０は、好ましくは高張力ステンレス鋼からなるバネクリップである。
【００４０】
クリップ２０とフロント端片２２とを組み立てたものが図６から図８に示されている。
【００４１】
レンズ１８をリム２８に差し込んだ後、端片２２は図２及び図３に示されるように及び上述したように、組み合わせられる。その後、舌部５０が開口４６に挿入され、指圧でクリップ２０を端片２２の向こう側に押し込むことにより狭ギャップ５６が広げられる。クリップ２０はその後、下アーム５８が端片２２の外側面に当接し、中間アーム６０が端片２２の内側面に当接するように、移動される。狭ギャップ５６は端片２２の厚みより狭いため、アーム５８，６０は、端片２２の両面における開口４６と端片３２，３４の縁部との間の部分に力を及ぼす。アーム５８，６０は概ね平坦であり、クリップ２０は端片２２の端部を覆って開口４６から延びるため、突起３８を開口３６内に保持するような力が突起３８に及ぼされる。突起３８及び開口３６の幾何学形状のおかげで、クリップ２０による横向きの力が加えられても突起３８が開口３６から誤って外れることがない。
【００４２】
レンズ１８を取り外すには、上記の手順を逆に行えばよく、指圧によりクリップ２０を外し、横方向に移動させることにより突起３８を開口３６から外し、リム２８を開いてレンズ１８を取り外す。
【００４３】
テンプル１２，１４は互いにミラーイメージとなっている。両者の構造及び組立／分解は同一である。これは図８から図１１に示されている。テンプル１２，１４は、クリップ２０が端片２２に取り付けられた後に、フロント１６に取り付けられる。
【００４４】
各テンプル１２，１４は周知の技術及び設計に従って後部６４にカバー６６を有しており、このカバー６６には周知の材料が用いられる。各テンプル１２，１４の前方のテンプル端部６８は内側にオフセットされたテンプル端部７０を有しており、ブラケット４５，４７のピンホール４８に嵌合する寸法及び形状の上向き及び下向きのピン７２が設けられている。オフセットされたテンプル端部７０のオフセットの程度は、端片２２に取り付けられたとき、クリップ２０の厚みと略同じになる程度である（図９参照）。
【００４５】
各テンプル１２，１４に形成された細長いスロット７４は、テンプル端部６８からオフセットされたテンプル端部７０の全長に渡って後方に延び、好ましくはオフセットされたテンプル端部７０を越えてさらに後方まで延びる。スロット７４は、その前端７６から後端７８に向かって高さが次第に小さくなることが好ましい。このように、オフセットされたテンプル端部７０は上部８０と下部８２とを有している。これらの部分８０及び８２は指圧により互いに近付かせ、前端７６でのスロット７４の高さを小さくすることができる。これにより、ピン７２を上下のブラケット４５，４７のピンホール４８に嵌合させることができるようになる。
【００４６】
テンプル１２，１４を例えば高張力ステンレス鋼のような弾性材料で形成することにより、上部８０及び下部８２に指圧を加えるのを止めると、スロット７４が通常の高さに戻り、ピン７２を完全にピンホール４８に嵌めることができる。取り外しはこの逆の手順で行う。これにより、ピン７２及びピンホール４８がヒンジとして機能し、テンプル１２，１４はピン７２を中心に回転可能となる。
【００４７】
クリップ２０の上アーム６２はその形状及び弾力性により各テンプル１２，１４に適切なカムつまりオーバセンタ作用を提供する。これは図１２から図１５に示されている。
【００４８】
テンプル１４は開いた状態ではリップ部５２に接触し、これによりテンプル１４のアーチ状の移動が制限される。クリップ２０つまり上アーム６２及びリップ部５２が弾力性を有するため、超過の移動／力が可能となる（図１５）が、最終的にはリップ部５２は中間アーム６０に対して略平坦な状態となり、テンプル１４をそれ以上移動させると損傷の恐れがある。テンプル１２，１４が開いた状態にあるとき、テンプル端部６８はクリップ２０と接触しない。
【００４９】
各テンプル１２，１４を閉じた状態に移動させるとき、テンプル端部６８は、クリップ２０と接触しない状態からクリップ２０の上アーム６２と接触する状態に移動する。これにより、テンプル１２，１４の移動に対する抵抗が提供される。上アーム６２は傾斜しているため、移動の開始時に抵抗が最も強くなる。テンプル端部６８は上アーム６２と最初に接触するときに上アーム６２を押し付ける。テンプルの移動が継続される間、押し付けが継続され、リップ部５２は中間アーム６０に接触する。
【００５０】
これにはテンプル１２，１４を約２５度移動させる必要がある。この移動の間は、移動させる力を加えるのを止めると、テンプル１２，１４は完全に開いた状態に戻る強い傾向がある。これは、バネクリップ２０の弾力性がテンプル端部６８に作用するためである。この状態（２５度移動）とほとんど閉じた状態との間は、移動させる力を加えるのを止めると、各テンプル１２，１４は開いた状態に戻ろうとする傾向がまだあるが、移動に対する摩擦による自然抵抗がクリップ２０の付勢力に打ち勝つことができる。
【００５１】
上アーム６２が傾斜しているため、テンプル１２，１４が完全に閉じた状態に近付くにつれて、移動に対する抵抗は減少する。テンプル端部のオフセット部分７０がフロント端片２２に対して垂直であるとき、テンプル端部６８によって上アーム６２に加えられる押し付け力は最大となる。これは完全に閉じた状態になる少し前である。従って、閉じた状態に移動させるとき、移動の最終段階では力が減少する。これにより、テンプル１２，１４が完全に開いた状態及び完全に閉じた状態に付勢されるように、オーバセンタつまりカム作用が提供される。
【００５２】
従って、各テンプル１２，１４は完全に開いた状態及び完全に閉じた状態の２つの「レスト」位置を有する。これら２つの位置以外の位置は不安定であり、テンプル１２，１４が上記２つの位置に付勢され、小さな力を加えることで移動に対する摩擦による抵抗に打ち勝って２つの位置の中の一方に移動する。
【００５３】
テンプル１２，１４が開いた状態にあるときは各リップ部５２がテンプル１２，１４に接触するため、テンプルは張力によってその位置に確実に保持される。
【００５４】
クリップ２０はテンプル１４，１６と一体であってもよい。これは図１６から図１９に示されており、ここでは同様の構成要素には同様の参照番号が用いられているが、識別番号２が付されている。
【００５５】
図１６を見ると分かるように、上端片２３２及び下端片２３４は第１実施形態と略同じである。突起２３８及びそれに対応する開口も同じであり、スロット２４６も同様である。上ブラケット２４５及び２４７は、ピンホールがなく、各ブラケット２４５，２４７が裾部２８４を有している点が異なり、上ブラケット２４５の裾部２８４は下方に延び、下ブラケットの裾部２８４は上方に延びている。
【００５６】
図１７は一体化されたクリップ２２０を有するテンプル２１２を示している。クリップ２２０は前述と同様に舌部２５０と上アーム２６２とを有しているが、リップ部２５２は内側に大きく曲がり、テンプル１６のテンプル端部２６８に合体している。テンプル２１６のスロット２７４はクリップ２２０内まで延びていてもよく、少なくとも上アーム２６２を通って中間アーム２６０まで、但しその全体ではなく、延びていてもよい。スロット２７４は圧縮という同じ目的で設けられており、一体クリップ２２０を有するテンプル２１２を圧縮し、裾部２８４の間に通した後にブラケット２４５及び２４７の間に収まるようにするためのものである。
【００５７】
上下のフロント端片２３２，２３４にテンプル２１２を取り付けるには、第１実施形態と同様に、舌部２５０をスロット２４６に嵌め、クリップ２２０をフロント端片２２２の向こう側に押し込む。異なる点は、中間アーム２６０及び上アーム２６２が、上ブラケット２４５と下ブラケット２４７との間で上ブラケット２４５及び下ブラケット２４７の裾部２８４の後ろに捕えられることである。クリップ２２０を例えばバネのステンレス鋼のような弾性材料で形成することにより、テンプル２１２は通常の方法でブラケット２４５，２４７を中心に回転することができる。
【００５８】
図２０は第３実施形態のテンプルを示している。ここでも、同様の構成要素には同様の参照番号が用いられているが、識別番号“３”が付されている。当該図面においては、（ａ）はテンプルの先端部品、（ｂ）は（ａ）の断面、（ｃ）はテンプルの端部、（ｄ）はテンプルの端部にテンプル先端部品を取り付けたものを示している。
【００５９】
テンプル３１２，３１４の後部３６４について説明する。各後部３６４はテンプルカバーつまり先端部品３６６を有している。テンプル先端部品３６６は、中空でない芯部３８６に前端３９０から後端３９２まで細長い上下のスロット３８８が設けられている。後端３９２では、スロット３８８は凹部３９４で深さが大きくなっている。テンプルの後部３６４には各々細長いスロット３９６が通っており、このスロットは割れた先端３９８で終わっている。
【００６０】
これにより、スロット３９６を広げて割れた先端３９８を開き、割れた先端３９８をスロット３８８に嵌め、テンプル先端部品３６６を後部３６４上で押して割れた先端３９８を凹部３９４に嵌めることができる。これはスナップ式で行われるため、先端部品３６６が正しく後部３６４に嵌まると、ユーザにははっきりと分かる。
【００６１】
従って、通常のようにテンプルの先端部品３６６が後部３６４の上に嵌合するというよりもむしろ、後部３６４が先端部品３６６の上に嵌合する。また、後部３６４の一部を見せて外観を魅力的にすることもできる。
【００６２】
芯部３８６の幅を後部３６４よりも大きくすることにより、先端部品３６６は適切な保護及び緩衝作用をユーザに提供する。
【００６３】
図２１から図２３は第４実施形態を示すものであり、ここでは、上端片４３２は開口３６又は突起３８を有さず、切り欠き４４４は上縁４８６に位置しており、下端片４３４も開口３６又は突起３８を有さず、切り欠き４４４は下縁４８８に位置している。
【００６４】
クリップ４２０は、舌部４５０と下アーム４５８が変更されている点を除いては、前述のものと非常に似ている。下アーム４５８は外端４９０で二股に分かれており、２つのＬ字状の舌部４５０で終わっている。各舌部４５０はアーチ形の凹部４９２で分離されている。
【００６５】
従って、フロント端片４２２にクリップ４２０を取り付けるには、切り欠き４４４に舌部４５０を配置し、指圧で端片４２２の向こう側にクリップ４２０を押し込むことにより狭いギャップ４５６を広げる。その後、クリップ４２０を移動させ、下アーム４５８が端片４２２の外側面に当接し、中間アーム４６０が端片４２２の内側面に当接するようにする。狭ギャップ４５６は端片４２２の厚みよりも小さいため、各アーム４５８，４６０は端片４２２の両側面における切り欠き４４４と各端片４３２，４３４の端部との間の部分に力を及ぼす。この力により、及び切り欠き４４４に嵌められた舌部４５０が各端片４３２，４３４を合わせて保持することにより、端片４３２，４３４を図面に示されるように結合され位置合わせされた状態に維持する力が各端片４３２，４３４に及ぼされる。舌部４５０間の距離が固定されており、クリップ４２０が強度を備えているため、端片４３２，４３４が誤って分離することはない。切り欠き４４４に嵌めたときに舌部４５０が各端片４３２，４３４を合わせて保持するようにするため、舌部４５０間の距離は切り欠き４４４間の距離と同一又はほんの少し大きいのみとする必要がある。
【００６６】
舌部４５０は、その形状のおかげで、縦方向のみならず横方向についても各端片４３２，４３４を合わせて保持するのに役立つ。切り欠き４４４は上縁４８６及び下縁４８８に示されているが、隣接していて両縁に延びていないものであってもよい。
【００６７】
以上、本発明の好ましい実施形態を説明してきたが、本発明から逸脱することなく設計、構成又は動作における変更や修正を加え得ることは当業者には理解されるところであろう。
【図面の簡単な説明】
【００６８】
【図１】一実施形態による眼鏡フレームを組み立てたときの後面斜視図。
【図２】図１の実施形態のフロントを示す後面斜視図。
【図３】図２のフロントの一方側における端片を示す拡大図。
【図４】図１の実施形態で用いられる一つのクリップを示す上面斜視図。
【図５】図４のクリップの上面図。
【図６】図３の端片に図４及び図５のクリップを取り付ける第１段階を示した上面斜視図。
【図７】図６に対応する上面図。
【図８】クリップと端片が組み立てられた状態であって、テンプルが取り付けられる前の状態を示す上面図。
【図９】図８に対応する図であって、テンプルの取り付けが完了した状態を示す図。
【図１０】図９に対応する斜視図。
【図１１】図８に対応する斜視図であって、クリップが取り外された状態を示す図。
【図１２】図９に対応する上面図であって、テンプルを開いた状態と閉じた状態を示す図。
【図１３】テンプルが開いた状態におけるヒンジの拡大上面図。
【図１４】図１３に対応する部分上面図。
【図１５】図１４に対応する部分上面図であって、既に開いた状態にあるテンプルに過度に開く力が加えられたときの様子を示す図。
【図１６】第２実施形態によるフロント端片を示す部分斜視図。
【図１７】第２実施形態のテンプルの部分斜視図。
【図１８】図１６のフロント端片に図１７のテンプルが取り付けられた状態を示す部分斜視図。
【図１９】図１８に対応する上面図。
【図２０】第３実施形態のテンプルを示す部分側面図。
【図２１】第４実施形態の部分的な正面斜視図。
【図２２】図２１のクリップの正面斜視図。
【図２３】図２１のフレームの部分斜視図。
【図１】
0003143221.tif 000003
【図２】
0003143221.tif 000004
【図３】
0003143221.tif 000005
【図４】
0003143221.tif 000006
【図５】
0003143221.tif 000007
【図６】
0003143221.tif 000008
【図７】
0003143221.tif 000009
【図８】
0003143221.tif 000010
【図９】
0003143221.tif 000011
【図１０】
0003143221.tif 000012
【図１１】
0003143221.tif 000013
【図１２】
0003143221.tif 000014
【図１３】
0003143221.tif 000015
【図１４】
0003143221.tif 000016
【図１５】
0003143221.tif 000017
【図１６】
0003143221.tif 000018
【図１７】
0003143221.tif 000019
【図１８】
0003143221.tif 000020
【図１９】
0003143221.tif 000021
【図２０】
0003143221.tif 000022
【図２１】
0003143221.tif 000023
【図２２】
0003143221.tif 000024
【図２３】
0003143221.tif 000025
【手続補正書】
【提出日】平成19年9月20日(2007.9.20)
【手続補正１】
【補正対象書類名】実用新案登録請求の範囲
【補正対象項目名】全文
【補正方法】変更
【補正の内容】
【実用新案登録請求の範囲】
【請求項１】
（ａ）２つのレンズを内部に保持するためのフロントを備え、（ｂ）前記フロントは、
その各端部において後方に延びる上部と下部を有するフロント端片を有し、（ｃ）前記上
部は上部切り欠きを有し、前記下部は下部切り欠きを有し、（ｄ）前記端片を合わせて解
放可能に保持するために前記フロント端片に取り付けるためのクリップを備え、該クリッ
プは、前記上部と前記下部を合わせて保持するために前記上部切り欠き及び前記下部切り
欠きに嵌め込むための端部を含むことを特徴とする眼鏡フレーム。
【請求項２】
前記上部切り欠きは前記上部の上縁に設けられ、前記下部切り欠きは前記上部の下縁に
設けられ、前記クリップの前記端部は、前記上部切り欠き及び前記下部切り欠きに嵌め込
むための２つの相隔たる舌部で終わる二股に分岐した先端を含むことを特徴とする請求項
１に記載の眼鏡フレーム。
【請求項３】
前記上部及び前記下部の中の一方は、前記上部及び前記下部の中の他方に設けた対応す
る寸法及び形状の幾何学的な開口に嵌め込んだり取り外したりするための幾何学的な突起
を有し、前記嵌め込み及び取り外しは横方向の移動のみで行われ、前記クリップは前記幾
何学的な突起を前記幾何学的な開口内に保持する機能を有することを特徴とする請求項１
に記載の眼鏡フレーム。
【請求項４】
前記クリップは、概ねＳ字状であり、（ａ）下アームと、（ｂ）当該下アームが動作的
に関連している中間アームと、（ｃ）当該中間アームが動作的に関連している上アームと
、（ｄ）前記眼鏡フレームのテンプルの移動を抑制するために前記上アームから後方且つ
内方に延びるリップ部を備えることを特徴とする請求項１乃至３のいずれか一項に記載の
眼鏡フレーム。
【請求項５】
前記上部はその内方に延びる上ブラケットを有し、前記下部はその内方に延びる下ブラ
ケットを有することを特徴とする請求項１乃至４のいずれか一項に記載の眼鏡フレーム。
【請求項６】
前記フロント端片に形成された開口をさらに備えることを特徴とする請求項１乃至５の
いずれか一項に記載の眼鏡フレーム。
【請求項７】
前記上部切り欠きは前記下部切り欠きと合わさって開口を形成し、該開口は前記幾何学
的な突起と前記幾何学的な開口の両方の前方にあり、前記上ブラケット及び前記下ブラケ
ットは前記開口と前記幾何学的な開口及び前記幾何学的な突起との中間にあり、前記クリ
ップは、前記フロント端片の前記開口に嵌合できるように前記下アームから内方且つ前方
に延びる舌部を備えていることを特徴とする請求項２に付加されたときの請求項５に記載
の眼鏡フレーム。
【請求項８】
前記端部と前記中間アームとの間には狭いギャップが形成され、当該狭いギャップは前
記フロント端片の厚みより狭いことを特徴とする請求項４に記載の眼鏡フレーム。
【請求項９】
前記クリップが圧縮されているとき、前記リップ部は前記中間アームと接触して閉じた
ループを形成し、前記クリップはバネクリップであることを特徴とする請求項４に記載の
眼鏡フレーム。
【請求項１０】
前記テンプルは、（ａ）テンプル端部と、（ｂ）該テンプル端部から後方に延びるスロ
ットと、（ｃ）前記テンプル端部の上方に延びる上ピンと、（ｄ）前記テンプル端部の下
方に延びる下ピンとを備え、（ｅ）前記スロットは、前記上ピンと前記下ピンを前記上ブ
ラケットと前記下ブラケットに設けたピンホールに嵌合することができるように、指圧に
よって圧縮され得ることを特徴とする請求項５に記載の眼鏡フレーム。
【請求項１１】
前記テンプルの内側にオフセットされたテンプル端部のオフセット部分をさらに含み、
前記スロットは当該テンプル端部のオフセット部分を越えて後方に延び、前記スロットは
前記テンプル端部から少なくとも前記テンプル端部のオフセット部分の全長に渡って高さ
が次第に小さくなることを特徴とする請求項１０に記載の眼鏡フレーム。
【請求項１２】
前記クリップは前記テンプルと一体であることを特徴とする請求項１０又は請求項１１
に記載の眼鏡フレーム。
【請求項１３】
前記スロットは、前記クリップの前記上アーム内まで延びていることを特徴とする請求
項１０に付加されたときの請求項１２に記載の眼鏡フレーム。
【請求項１４】
前記上ブラケットは下方に延びる上裾部を有し、前記下ブラケットは上方に延びる下裾
部を有することを特徴とする請求項５乃至１３のいずれか一項に記載の眼鏡フレーム。
【請求項１５】
眼鏡フレームのフロント端片と結合するための概ねＳ字状のクリップであって、（ａ）
下アームと、（ｂ）当該下アームが動作的に関連している中間アームと、（ｃ）当該中間
アームが動作的に関連している上アームとを備え、（ｄ）前記クリップが前記フロント端
片に形成された少なくとも一つの切り欠きに嵌合することができるように、端部が前記下
アームから内方且つ前方に延びており、（ｅ）前記眼鏡フレームのテンプルの移動を抑制
するために、リップ部が前記上アームから後方且つ内方に延びていることを特徴とするク
リップ。
【請求項１６】
前記端部と前記中間アームとの間には狭いギャップが形成され、当該狭いギャップは前
記フロント端片の厚みより狭く、前記クリップが圧縮されているとき、前記リップ部は前
記中間アームと接触して閉じたループを形成することを特徴とする請求項１５に記載のク
リップ。
【請求項１７】
前記端部は前記中間アームから離れた部分で二股に分岐しており、２つのＬ字状の相隔
たる舌部で終わっていることを特徴とする請求項１５又は請求項１６に記載のクリップ。
【請求項１８】
前記クリップはバネクリップであることを特徴とする請求項１５乃至１７のいずれか一
項に記載のクリップ。
【請求項１９】
前記テンプルは前記クリップと一体であることを特徴とする請求項１５乃至１８のいず
れか一項に記載のクリップ。
【請求項２０】
前記クリップの前記上アームから前記テンプル内までスロットが延びていることを特徴
とする請求項１９に記載のクリップ。
【請求項２１】
眼鏡フレームのリムにレンズを差し込むための方法であって、（ａ）前記リムを開くこ
とと、（ｂ）前記リムに前記レンズを差し込むことと、（ｃ）前記リムを閉じることと、
（ｄ）前記リムのフロント端片の上部を該フロント端片の下部と隣り合って位置合わせさ
れるように移動することと、（ｅ）指圧を利用して、クリップの２つの相隔たる舌部を前
記上部及び前記下部に形成された相隔たる切り欠きに挿入することと、前記フロント端片
を合わせて保持するために、指圧を利用して前記クリップを前記フロント端片の向こう側
に押し込んで嵌めることを備えたことを特徴とする方法。
【請求項２２】
前記クリップは請求項１５乃至２０のいずれか一項に記載のものであることを特徴とす
る請求項２１に記載の方法。
【手続補正書】
【提出日】平成20年3月18日(2008.3.18)
【手続補正１】
【補正対象書類名】実用新案登録請求の範囲
【補正対象項目名】全文
【補正方法】変更
【補正の内容】
【実用新案登録請求の範囲】
【請求項１】
（ａ）２つのレンズを内部に保持するためのフロントを備え、（ｂ）前記フロントは、
その各端部において後方に延びる上部と下部を有するフロント端片を有し、（ｃ）前記上
部は上部切り欠きを有し、前記下部は下部切り欠きを有し、（ｄ）前記端片を合わせて解
放可能に保持するために前記フロント端片に取り付けるためのクリップを備え、該クリッ
プは、前記上部と前記下部を合わせて保持するために前記上部切り欠き及び前記下部切り
欠きに嵌め込むための端部を含むことを特徴とする眼鏡フレーム。
【請求項２】
前記上部切り欠きは前記上部の上縁に設けられ、前記下部切り欠きは前記上部の下縁に
設けられ、前記クリップの前記端部は、前記上部切り欠き及び前記下部切り欠きに嵌め込
むための２つの相隔たる舌部で終わる二股に分岐した先端を含むことを特徴とする請求項
１に記載の眼鏡フレーム。
【請求項３】
前記上部及び前記下部の中の一方は、前記上部及び前記下部の中の他方に設けた対応す
る寸法及び形状の幾何学的な開口に嵌め込んだり取り外したりするための幾何学的な突起
を有し、前記嵌め込み及び取り外しは横方向の移動のみで行われ、前記クリップは前記幾
何学的な突起を前記幾何学的な開口内に保持する機能を有することを特徴とする請求項１
に記載の眼鏡フレーム。
【請求項４】
前記クリップは、概ねＳ字状であり、（ａ）下アームと、（ｂ）当該下アームが動作的
に関連している中間アームと、（ｃ）当該中間アームが動作的に関連している上アームと
、（ｄ）前記眼鏡フレームのテンプルの移動を抑制するために前記上アームから後方且つ
内方に延びるリップ部を備えることを特徴とする請求項１乃至３のいずれか一項に記載の
眼鏡フレーム。
【請求項５】
前記上部はその内方に延びる上ブラケットを有し、前記下部はその内方に延びる下ブラ
ケットを有することを特徴とする請求項１乃至４のいずれか一項に記載の眼鏡フレーム。
【請求項６】
前記フロント端片に形成された開口をさらに備えることを特徴とする請求項１乃至５の
いずれか一項に記載の眼鏡フレーム。
【請求項７】
前記上部切り欠きは前記下部切り欠きと合わさって開口を形成し、該開口は前記幾何学
的な突起と前記幾何学的な開口の両方の前方にあり、前記上ブラケット及び前記下ブラケ
ットは前記開口と前記幾何学的な開口及び前記幾何学的な突起との中間にあり、前記クリ
ップは、前記フロント端片の前記開口に嵌合できるように前記下アームから内方且つ前方
に延びる舌部を備えていることを特徴とする請求項２に付加されたときの請求項５に記載
の眼鏡フレーム。
【請求項８】
前記端部と前記中間アームとの間には狭いギャップが形成され、当該狭いギャップは前
記フロント端片の厚みより狭いことを特徴とする請求項４に記載の眼鏡フレーム。
【請求項９】
前記クリップが圧縮されているとき、前記リップ部は前記中間アームと接触して閉じた
ループを形成し、前記クリップはバネクリップであることを特徴とする請求項４に記載の
眼鏡フレーム。
【請求項１０】
前記テンプルは、（ａ）テンプル端部と、（ｂ）該テンプル端部から後方に延びるスロ
ットと、（ｃ）前記テンプル端部の上方に延びる上ピンと、（ｄ）前記テンプル端部の下
方に延びる下ピンとを備え、（ｅ）前記スロットは、前記上ピンと前記下ピンを前記上ブ
ラケットと前記下ブラケットに設けたピンホールに嵌合することができるように、指圧に
よって圧縮され得ることを特徴とする請求項５に記載の眼鏡フレーム。
【請求項１１】
前記テンプルの内側にオフセットされたテンプル端部のオフセット部分をさらに含み、
前記スロットは当該テンプル端部のオフセット部分を越えて後方に延び、前記スロットは
前記テンプル端部から少なくとも前記テンプル端部のオフセット部分の全長に渡って高さ
が次第に小さくなることを特徴とする請求項１０に記載の眼鏡フレーム。
【請求項１２】
前記クリップは前記テンプルと一体であることを特徴とする請求項１０又は請求項１１
に記載の眼鏡フレーム。
【請求項１３】
前記スロットは、前記クリップの前記上アーム内まで延びていることを特徴とする請求
項１０に付加されたときの請求項１２に記載の眼鏡フレーム。
【請求項１４】
前記上ブラケットは下方に延びる上裾部を有し、前記下ブラケットは上方に延びる下裾
部を有することを特徴とする請求項５乃至１３のいずれか一項に記載の眼鏡フレーム。
【請求項１５】
眼鏡フレームのフロント端片と結合するための概ねＳ字状のクリップであって、（ａ）
下アームと、（ｂ）当該下アームが動作的に関連している中間アームと、（ｃ）当該中間
アームが動作的に関連している上アームとを備え、（ｄ）前記クリップが前記フロント端
片に形成された少なくとも一つの切り欠きに嵌合することができるように、端部が前記下
アームから内方且つ前方に延びており、（ｅ）前記眼鏡フレームのテンプルの移動を抑制
するために、リップ部が前記上アームから後方且つ内方に延びていることを特徴とするク
リップ。
【請求項１６】
前記端部と前記中間アームとの間には狭いギャップが形成され、当該狭いギャップは前
記フロント端片の厚みより狭く、前記クリップが圧縮されているとき、前記リップ部は前
記中間アームと接触して閉じたループを形成することを特徴とする請求項１５に記載のク
リップ。
【請求項１７】
前記端部は前記中間アームから離れた部分で二股に分岐しており、２つのＬ字状の相隔
たる舌部で終わっていることを特徴とする請求項１５又は請求項１６に記載のクリップ。
【請求項１８】
前記クリップはバネクリップであることを特徴とする請求項１５乃至１７のいずれか一
項に記載のクリップ。
【請求項１９】
前記テンプルは前記クリップと一体であることを特徴とする請求項１５乃至１８のいず
れか一項に記載のクリップ。
【請求項２０】
前記クリップの前記上アームから前記テンプル内までスロットが延びていることを特徴
とする請求項１９に記載のクリップ。
【手続補正書】
【提出日】平成20年5月14日(2008.5.14)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
（ａ）２つのレンズを内部に保持するためのフロントを備え、（ｂ）前記フロントは、
その各端部において後方に延びる上部と下部を有するフロント端片を有し、（ｃ）前記上
部は上部切り欠きを有し、前記下部は下部切り欠きを有し、（ｄ）前記端片を合わせて解
放可能に保持するために前記フロント端片に取り付けるためのクリップを備え、該クリッ
プは、前記上部と前記下部を合わせて保持するために前記上部切り欠き及び前記下部切り
欠きに嵌め込むための端部を含むことを特徴とする眼鏡フレーム。
【請求項２】
前記上部切り欠きは前記上部の上縁に設けられ、前記下部切り欠きは前記上部の下縁に
設けられ、前記クリップの前記端部は、前記上部切り欠き及び前記下部切り欠きに嵌め込
むための２つの相隔たる舌部で終わる二股に分岐した先端を含むことを特徴とする請求項
１に記載の眼鏡フレーム。
【請求項３】
前記上部及び前記下部の中の一方は、前記上部及び前記下部の中の他方に設けた対応す
る寸法及び形状の幾何学的な開口に嵌め込んだり取り外したりするための幾何学的な突起
を有し、前記嵌め込み及び取り外しは横方向の移動のみで行われ、前記クリップは前記幾
何学的な突起を前記幾何学的な開口内に保持する機能を有することを特徴とする請求項１
に記載の眼鏡フレーム。
【請求項４】
前記クリップは、概ねＳ字状であり、（ａ）下アームと、（ｂ）当該下アームが動作的
に関連している中間アームと、（ｃ）当該中間アームが動作的に関連している上アームと
、（ｄ）前記眼鏡フレームのテンプルの移動を抑制するために前記上アームから後方且つ
内方に延びるリップ部を備えることを特徴とする請求項１乃至３のいずれか一項に記載の
眼鏡フレーム。
【請求項５】
前記上部はその内方に延びる上ブラケットを有し、前記下部はその内方に延びる下ブラ
ケットを有することを特徴とする請求項１乃至４のいずれか一項に記載の眼鏡フレーム。
【請求項６】
前記フロント端片に形成された開口をさらに備えることを特徴とする請求項１乃至５の
いずれか一項に記載の眼鏡フレーム。
【請求項７】
前記上部切り欠きは前記下部切り欠きと合わさって開口を形成し、該開口は前記幾何学
的な突起と前記幾何学的な開口の両方の前方にあり、前記上ブラケット及び前記下ブラケ
ットは前記開口と前記幾何学的な開口及び前記幾何学的な突起との中間にあり、前記クリ
ップは、前記フロント端片の前記開口に嵌合できるように前記下アームから内方且つ前方
に延びる舌部を備えていることを特徴とする請求項２に付加されたときの請求項５に記載
の眼鏡フレーム。
【請求項８】
前記端部と前記中間アームとの間には狭いギャップが形成され、当該狭いギャップは前
記フロント端片の厚みより狭いことを特徴とする請求項４に記載の眼鏡フレーム。
【請求項９】
前記クリップが圧縮されているとき、前記リップ部は前記中間アームと接触して閉じた
ループを形成し、前記クリップはバネクリップであることを特徴とする請求項４に記載の
眼鏡フレーム。
【請求項１０】
前記テンプルは、（ａ）テンプル端部と、（ｂ）該テンプル端部から後方に延びるスロ
ットと、（ｃ）前記テンプル端部の上方に延びる上ピンと、（ｄ）前記テンプル端部の下
方に延びる下ピンとを備え、（ｅ）前記スロットは、前記上ピンと前記下ピンを前記上ブ
ラケットと前記下ブラケットに設けたピンホールに嵌合することができるように、指圧に
よって圧縮され得ることを特徴とする請求項５に記載の眼鏡フレーム。
【請求項１１】
前記テンプルの内側にオフセットされたテンプル端部のオフセット部分をさらに含み、
前記スロットは当該テンプル端部のオフセット部分を越えて後方に延び、前記スロットは
前記テンプル端部から少なくとも前記テンプル端部のオフセット部分の全長に渡って高さ
が次第に小さくなることを特徴とする請求項１０に記載の眼鏡フレーム。
【請求項１２】
前記クリップは前記テンプルと一体であることを特徴とする請求項１０又は請求項１１
に記載の眼鏡フレーム。
【請求項１３】
前記スロットは、前記クリップの前記上アーム内まで延びていることを特徴とする請求
項１０に付加されたときの請求項１２に記載の眼鏡フレーム。
【請求項１４】
前記上ブラケットは下方に延びる上裾部を有し、前記下ブラケットは上方に延びる下裾
部を有することを特徴とする請求項５乃至１３のいずれか一項に記載の眼鏡フレーム。
【請求項１５】
眼鏡フレームのフロント端片と結合するための概ねＳ字状のクリップであって、（ａ）
下アームと、（ｂ）当該下アームが動作的に関連している中間アームと、（ｃ）当該中間
アームが動作的に関連している上アームとを備え、（ｄ）前記クリップが前記フロント端
片に形成された少なくとも一つの切り欠きに嵌合することができるように、端部が前記下
アームから内方且つ前方に延びており、（ｅ）前記眼鏡フレームのテンプルの移動を抑制
するために、リップ部が前記上アームから後方且つ内方に延びていることを特徴とするク
リップ。
【請求項１６】
前記端部と前記中間アームとの間には狭いギャップが形成され、当該狭いギャップは前
記フロント端片の厚みより狭く、前記クリップが圧縮されているとき、前記リップ部は前
記中間アームと接触して閉じたループを形成することを特徴とする請求項１５に記載のク
リップ。
【請求項１７】
前記端部は前記中間アームから離れた部分で二股に分岐しており、２つのＬ字状の相隔
たる舌部で終わっていることを特徴とする請求項１５又は請求項１６に記載のクリップ。
【請求項１８】
前記クリップはバネクリップであることを特徴とする請求項１５乃至１７のいずれか一
項に記載のクリップ。
【請求項１９】
前記テンプルは前記クリップと一体であることを特徴とする請求項１５乃至１８のいず
れか一項に記載のクリップ。
【請求項２０】
前記クリップの前記上アームから前記テンプル内までスロットが延びていることを特徴
とする請求項１９に記載のクリップ。